(57)【要約】【課題】建物等の側壁と床面との境界部分の近傍等に溜まり易い残屑をも容易かつ確実に除去することができる実用性に優れた安価な清掃シートを実現する。【解決手段】清掃シート１は清掃ヘッドに着脱自在に装着される。そして、剥離可能な保護シートが表面に接着された両面粘着テープ５が、基材シート４の一方の面上の所定位置に貼着されている。基材シート４は、被清掃面に接する接触部６と、該接触部６の端部７ａ、７ｂで折り返されて清掃ヘッドに保持される非接触部８とからなり、前記所定位置は、非接触部８に設けられている。【選択図】図２
0003166102.tif 000002
【実用新案登録請求の範囲】
【請求項１】
清掃ヘッドに着脱自在に装着された清掃シートであって、
剥離可能な保護シートが表面に接着された両面粘着テープが、基材シートの少なくとも一方の面上の所定位置に貼着されていることを特徴とする清掃シート。
【請求項２】
前記基材シートは、被清掃面に接する接触部と、該接触部の端部で折り返されて前記清掃ヘッドに保持される非接触部とからなり、
前記所定位置は、前記非接触部に設けられていることを特徴とする請求項  １記載の清掃シート。
【考案の詳細な説明】
【技術分野】
【０００１】
本考案は清掃シートに関し、より詳しくはフローリングや畳等の床面に付着したゴミ、塵、砂埃等を除去するための清掃シートに関する。
【背景技術】
【０００２】
従来より、織布や不織布等で形成された清掃シートを清掃ヘッドに保持し、清掃ヘッドに連結された支持アームを手動で操作することにより、フローリングや畳等の床面を清掃する清掃具が広く使用されている。
【０００３】
例えば、特許文献１には、図３に示すように、清掃ヘッド１０１先端の清掃面１０２が粘着剤面１０３と清掃布面１０４とを含み、粘着剤面１０３と清掃布面１０４が被清掃面１０５に個別に面当接可能であり、支持アーム１０６の動きを制止するためのストッパー１０７が軸支手段１０８に設けられており、軸支手段１０８を設けた面に対し所定角度θの範囲内で支持アーム１０６を傾斜させた場合は清掃布面１０４が被清掃面１０２に面当接することができ、軸支手段１０８を設けた面に対して支持アーム１０６を所定角度θ以上に傾斜させた場合は粘着剤面１０３が被清掃面１０２に面当接することができるようにした清掃用具が提案されている。
【０００４】
この特許文献１では、軸支手段１０８を介して支持アーム１０６の傾斜角度を調整することにより、通常は清掃布面１０４を被清掃面１０５に面当接させて使用し、この清掃布面１０４で捕捉できないゴミ等を捕捉しようとするときに、粘着剤面１０３を被清掃面１０５に面当接させ、これにより被清掃面１０５を清掃している。
【先行技術文献】
【特許文献】
【０００５】
【特許文献１】特開２００２−１６５７４０号公報
【考案の概要】
【考案が解決しようとする課題】
【０００６】
しかしながら、特許文献１では、清掃面１０２が粘着剤面１０３と清掃布面１０４とを有することにより、清掃布面１０４だけでは取り除くことのできないゴミ、塵、砂埃、毛髪等を粘着剤面１０３に付着させて除去しようとしているが、清掃時の残屑を容易かつ確実に除去するのは困難であり、特に建物等の側壁と床面との境界部分の近傍等に留まり易い残屑を容易かつ確実に除去するのは困難であった。
【０００７】
本考案はこのような事情に鑑みなされたものであって、建物等の側壁と床面との境界部分の近傍等に溜まり易い残屑をも容易かつ確実に除去することができる実用性に優れた安価な清掃シートを提供することを目的とする。
【課題を解決するための手段】
【０００８】
上記目的を達成するために本考案に係る清掃シートは、清掃ヘッドに着脱自在に装着された清掃シートであって、剥離可能な保護シートが表面に接着された両面粘着テープが、基材シートの少なくとも一方の面上の所定位置に貼着されていることを特徴としている。
【０００９】
また、本発明の清掃シートは、前記基材シートは、被清掃面に接する接触部と、該接触部の端部で折り返されて前記清掃ヘッドに保持される非接触部とからなり、前記所定位置は、前記非接触部に設けられているのが好ましい。
【考案の効果】
【００１０】
上記清掃シートによれば、清掃ヘッドに着脱自在に装着された清掃シートであって、剥離可能な保護シートが表面に接着された両面粘着テープが、基材シートの少なくとも一方の面上の所定位置に貼着されているので、保護シートを両面粘着テープの表面から剥離させ、該両面粘着テープを基材シートに貼着させた状態で被清掃面に押し当てることにより、建物の側壁と床面との境界部分の近傍等に溜まり易い残屑をも容易かつ確実に除去することが可能となる。
【００１１】
また、前記基材シートは、被清掃面に接する接触部と、該接触部の端部で折り返されて前記清掃ヘッドに保持される非接触部とからなり、前記所定位置は、前記非接触部に設けられている場合は、清掃シートの接触部に付着しているゴミ等が脱落することもなく、基材シートを清掃ヘッドから離脱させた状態で両面粘着テープを残屑に押し当てることができ、ゴミ、塵、砂埃、毛髪等の残屑をより効果的に被清掃面から除去することができる。
【００１２】
しかも、本考案は、基材シートに両面粘着テープを貼着するだけで、除去し難い建物隅部の残屑を容易かつ確実に除去することができることから、極めて安価で清掃能に優れた清掃シートを得ることができる。
【図面の簡単な説明】
【００１３】
【図１】本発明に係る清掃シートが取り付けられた清掃具の一実施の形態を示す斜視図である。
【図２】清掃シートの一実施の形態を示す平面図である。
【図３】特許文献１に記載された従来の清掃用具の側面図である。
【考案を実施するための形態】
【００１４】
次に、本考案の実施の形態を図面に基づいて詳説する。
【００１５】
図１は、本考案に係る清掃シートが取り付けられた清掃具の一実施の形態を示す斜視図である。
【００１６】
すなわち、この清掃具は、被清掃面を清掃する清掃シート１と、該清掃シート１が着脱自在に装着された清掃ヘッド２と、清掃ヘッド２の中央部に連結された支持アーム３とから構成されている。
【００１７】
そして、本考案の清掃シート１は、織布や不織布等で形成された基材シート４と、基材シート４の一方の面上の所定位置に貼着された両面粘着テープ５とから構成されている。
【００１８】
図２は清掃シート１の拡大平面図である。
【００１９】
基材シート４は、矩形シート状に形成され、被清掃面に接する接触部６と、該接触部６の端部７ａ、７ｂで折り返されて前記清掃ヘッド２に保持される非接触部８とを有している。
【００２０】
そして、前記非接触部８の所定位置に両面粘着テープ５が貼着されている。この両面粘着テープ５は、非接触部８の一端部から長手方向に所定寸法でもって前記非接触部８に貼着されている。
【００２１】
また、前記両面粘着テープ５は、基材シート４との接着面に対し反対側の表面に保護シートが剥離可能に接着されている。
【００２２】
このように形成された清掃シート１では、剥離可能な保護シートが接着された両面粘着テープ５が、基材シート４の一方の面上の所定位置に貼着されているので、保護シートを両面粘着テープ５から剥離させ、該両面粘着テープ５を基材シート４に貼着させた状態で被清掃面に押し当てることにより、ゴミ、塵、砂埃、毛髪等の残屑を該両面粘着テープ５に捕捉させて除去することができる。すなわち、例えば、建物の側壁と床面との境界面近傍に溜まり易い残屑を該両面粘着テープ５に捕捉させて除去することができる。
【００２３】
そしてその後は、残屑が捕捉された両面粘着テープ５を基材シート４と共に廃棄すればよく、これにより清掃面は建物の隅々までクリーンなものとなり、したがって清掃者にとって極めて利便性の良い清掃シート１を安価に得ることが可能となる。
【００２４】
また、基材シート４は、被清掃面に接する接触部６と、該接触部６の端部７ａ、７ｂで折り返されて清掃ヘッド２に保持される非接触部５とからなり、前記所定位置は、非接触部５に設けられているので、清掃シート１の接触部６に付着しているゴミ等が脱落することもなく、基材シート４を清掃ヘッド２から離脱させた状態で両面粘着テープ５を残屑の存在する箇所に押し当てることができ、ゴミ、塵、砂埃、毛髪等を被清掃面からより効果的に除去することができる。
【００２５】
しかも、本実施の形態では、基材シート４に両面粘着テープ５を貼着するだけで、除去し難い建物隅部の残屑を容易かつ確実に除去することができることから、極めて安価で清掃能に優れた清掃シートを得ることができる。
【００２６】
尚、本考案は上記実施の形態に限定されるものではなく、要旨を逸脱しない範囲で種々の変更が可能である。例えば、両面粘着テープ５は、基材シート４の非接触部８に貼着されるのが好ましいが、基材シート４の少なくとも一方の面上に貼着されていればよく、両面粘着テープの貼着箇所や貼着個数も特に限定されるものではない。
【産業上の利用可能性】
【００２７】
建物の側壁と床面との境界部分に存在する残屑をも容易かつ確実に除去できる実用性に優れた安価な清掃シートを実現する。
【符号の説明】
【００２８】
２  清掃ヘッド
４  基材シート
５  両面粘着テープ
６  接触部
７ａ、７ｂ  端部
８  非接触部
【図１】
0003166102.tif 000003
【図２】
0003166102.tif 000004
【図３】
0003166102.tif 000005